(57)【特許請求の範囲】
【請求項１】
ホブの切削により歯車を創成する歯車加工機において、
歯車の回転軸に対し線状レーザ光を略直角に歯車へ照射する投光部、および、歯車の歯面からの反射光を受光する受光部を有するレーザ変位センサと、
前記レーザ変位センサから歯車までの距離を一定に維持した状態で、前記投光部が照射するレーザ光軸と一致するセンサ回転軸により前記レーザ変位センサが回動するように支持し、予め判別している歯車の歯面の歯筋方向に対して前記レーザ変位センサが略直角となるように前記レーザ変位センサを回動する粗調を行い、前記レーザ変位センサを回動する微調整を行って歯車から反射する線状レーザ光の拡散反射光が前記受光部により最も多く受光されるように前記レーザ変位センサの位置を決定するセンサ回動部と、
前記投光部からの出射光による歯車からの反射光を前記受光部が受光して前記投光部から歯車までの距離を計測する手段と、この手段により計測された距離によるデータを利用して得た歯面データや位相データを用いてホブ加工を行う手段と、
を備えたことを特徴とする歯車加工機。
【請求項２】
前記レーザ変位センサの前面に設けられて開放・閉鎖を行う蓋部を備えたことを特徴とする請求項１に記載の歯車加工機。
【発明の詳細な説明】
【技術分野】
【０００１】
本発明は、歯車を製造するための歯車加工機に関する。
【背景技術】
【０００２】
従来の歯車加工は、（１）切削加工（ホブ切り）、（２）焼入れ加工、（３）歯車研削盤による研削仕上げ、という手順で実施していた。
【０００３】
（１）切削加工（ホブ切り）
このホブ切りは、粗（荒）切り加工により歯車を製造する工程である。
（２）焼入れ加工
歯車の機械的強度を高めるため、切削加工後の歯車に焼き入れ（熱処理）を行う工程である。
（３）歯車研削盤による研削仕上げ
焼き入れ加工後に仕上げ加工（研削加工）を行う工程である。
【０００４】
機械分野における通常の加工方法に則れば、粗（荒）切り加工をすることなく、高精度に歯切りした後に焼き入れを行うことになる。
しかしながら、歯車加工では、この焼入れ等により歯部に熱変形が起こって形状精度が悪化するため、前述のような加工方法が採用されてきた。特に（３）の研削仕上げにより熱変形の修正を行なって歯車の精度を向上させていた。
【０００５】
しかしながら、この従来の歯車加工では、（３）の研削仕上げに問題があった。研削加工は、高額な歯車研削盤を使用すること、および、熟練した職人の手作業により生産効率が悪いことから、加工費が高額となる。そのため採算が合わず、精度向上をあきらめ、（１），（２）までの工程を行い、焼入れを行なった歯車をそのまま使用するケースが多かった。このことは歯車製品の品質に多大な悪影響を及ぼしていた。
【０００６】
そこで、（３）の研削加工に代えてホブ盤によるスカイビング加工（再ホブ：ホブによるさらい直し）が行われるようになった。
スカイビング加工を行う歯車加工では、（ａ）歯車の粗（荒）切り加工（プレホブ加工）において熱変形を見越して肩肉０．２ｍｍ程度の修正代を残して加工し、（ｂ）歯車の焼入れ加工を行い、（ｃ）焼き入れされた歯車を、スカイビング用のホブを使って再ホブ加工で修正代を取り除いて、正規な寸法に仕上げるスカイビング加工を施す、というものである。
【０００７】
このスカイビング加工は超硬ホブにより切削剤を使わずに切削加工するというドライカットであり、ドライカット用超鋼材にＴｉＡｌＮコーティングを施したホブで加工するのが一般的である。このようにドライカットを採用することで、悪臭や飛散による汚れ等、作業環境を悪化させる切削剤を不要とし、廃剤を処理する際の大気汚染による環境悪化の問題を解決している。この加工方法は、従来からのホブ加工と同等の加工効率が得られ、機械価格も歯車研削盤の半値以下に抑えられるため、歯車研削と比べて大幅な加工費の低減を実現している。
【０００８】
さらにスカイビング加工による歯車精度はホブ切り加工と同程度のＪＩＳ  Ｎ５級〜Ｎ６級であり、歯車研削による加工精度のＪＩＳ  Ｎ４級〜Ｎ５級には及ばないが、それでも充分な精度を確保している。スカイビング加工により、容易かつ安価に歯車精度を所定のレベルまで向上できるため、最終製品の品質向上に大きく寄与した。
【０００９】
そして、ドライカットの普及とともに新しい加工法として開発されたのが、ハードホビングによる歯車仕上げ加工である。ハードホビング加工は、焼入れしたＨＲＣ５０〜６０程度の高硬度歯面を超硬材ホブで高精度に仕上げ加工する工法である。ハードホビングについての明確な定義はないが、あえて言うならば、スカイビング加工およびハードホビング加工ともに焼入れした高硬度の歯面を仕上げ加工する工程であり、スカイビングホブの特長はモジュール３０位までの大きなモジュールで、−３０°前後の負のスクイ角をもつ超硬ロー付け大型ホブであるが、ハードホビング用ホブは、逆にモジュール０．３〜モジュール２.５位までの小モジュールの超硬ソリッドホブでスクイ角が０°近辺のものが多い。このハードホビング加工法は、一部にはウエット加工もあるが、殆んどドライカット加工で環境にやさしい加工法としている。低コスト歯車仕上げ工法として今後も期待される。
【００１０】
このように焼入れ後の熱変形した歯車について、安価で高効率な修正方法であるスカイビング加工やハードホビング加工を行う歯車製造では、簡易な工程で高精度な歯車を製造できるようになった。これらスカイビング加工やハードホビング加工は、ワークの高精度歯車仕上げ加工法としての利用価値が非常に高くなってきている。
【００１１】
なお、一般的に高精度の歯車を得るには、未だに歯車研削加工が用いられている。そこで、歯車の目的により（３）の歯車仕上げ加工法として、研削盤を用いる研削加工と、ホブ盤を用いるスカイビング加工・ハードホビング加工と、に使い分けている。研削盤を用いる研削加工と、ホブ盤を用いるスカイビング加工・ハードホビング加工との比較点は以下のようになる。
【００１２】
歯車研削は、１〜３Ｒｚであり、バイアス歯形等修正も可能であり、高い歯形精度が要求される歯車加工では歯車研削が採用される。
ハードホビングは、歯面粗度１Ｒｚ程度（送りを調整し可能）であり、高い歯形精度ではあるが、歯車研削で到達されるような精度は不要で歯形修正をしてまで精度を追求しない歯車加工ではハードホビングが採用される。
【００１３】
歯車研削は、熟練した職人が研削盤を使いこなす必要があってコストは高く歯厚管理では数回のトライヤルを要する。
ハードホビングは、通常ホブ盤の延長で機械操作が容易であってコストは低く抑えることができ歯厚管理では狙い値に確実に切込める。
【００１４】
歯車研削は、切削剤を用いるウエットカットで環境は不利である。
ハードホビングは、切削剤の代わりにエアーを使用するドライカットで環境が良い。
ハードホビングの加工精度が若干劣る点を除けば総じてハードホビング加工が有利である。なお、スカイビング加工でもハードホビング加工と同様の利点を有する。
【００１５】
以上説明したスカイビング加工・ハードホビング加工ではプレホブにより形成された歯車形状をセンサにより読みとらせ、この読みとったデータに基づいて再ホブを行う。このようにセンサにより歯車形状を読みとらせる歯車加工を行う装置の従来技術としては、例えば、特許文献１（特開平０８−１１８７１４４号公報、発明の名称「ホブ盤の歯車仕上げ加工方法」）に記載の発明が知られている。
【００１６】
特許文献１に記載の発明では、センサによってホブの切り刃の位置を検出し、数値制御装置によって創成中心線と切り刃の位置のずれを演算し、その演算値を被加工歯車の回転角度値に換算し、その換算値を第１回転角度値として使用し、被加工歯車を適当角度回転させ、センサによって被加工歯車の歯みぞの位置を検出し、数値制御装置によって創成中心線と歯みぞの位置のずれを演算し、その演算値を被加工歯車の回転角度値に換算し、その換算値を第２回転角度値として使用し、第２回転角度値を第１回転角度値に加え、その合計値だけ被加工歯車の角度位置をずらせ、これによってホブの切り刃と被加工歯車の歯みぞを位置合わせする、というものである。このような研磨装置では、効果的なホブ盤の歯車仕上げ加工方法を提供する。
【００１７】
また、センサにより歯車形状を読みとらせる歯車加工を行う装置の他の従来技術としては、例えば、特許文献２（特開２００４−２５３３３号公報、発明の名称「歯車加工機械」）に記載の発明が知られている。特許文献２に記載の歯車加工機械は、荒歯切り加工済みの被加工歯車からなるワークをホブにより仕上げ加工する際に、ホブの切り歯とワークの歯溝との噛合に先立って、ワークを一方向に連続回転させた状態で、センサによりワークの歯を検出して得た検出データに基づいて、ワークの歯のピッチ及び位置を判別し、その判別結果に基づいて、ワークとホブとの少なくともいずれか一方の回転位相を補正して、それらの回転位相を一致させる、というものである。このような歯車加工機械では、機械の回転伝達系に負担をかけることなく、ワークの歯を容易かつ正確に検出することができ、その検出結果に基づいて、ワークとホブとの回転位相合わせを適正に行うことができる。
【先行技術文献】
【特許文献】
【００１８】
【特許文献１】特開平０８−１１８７１４４号公報
【特許文献２】特開２００４−２５３３３号公報
【発明の概要】
【発明が解決しようとする課題】
【００１９】
しかしながら、上記した従来技術では何れも問題点を有するものであった。
ホブ盤にて、荒切り加工後に熱処理を行った部品に対し、精度修正の為に再度ホブ切りを行う再ホブ加工を施す場合、ワーク（荒切り加工後に熱処理を行った歯車）の歯面の位相を検出するため（ホブの位相は既知の前提）、近接センサをワーク外周面へ接近させ、歯車の回転軸でワークを任意に回転させて歯面の特定位置における位相を検出する方法が採られている。
【００２０】
例えば、図７で示すようにモジュール１．０で歯数６枚の歯車６００に対してセンサヘッド径φ３である近接センサ５００を用いて検査する場合、図７（ａ）の右歯面検出、図７（ｂ）の左歯面検出、図７（ｃ）の右／左の中間でも良好に検査できる。ところが、図８（ａ），図８（ｂ），図８（ｃ）で示すようにモジュール０．４で歯数６枚の歯車６００に対してセンサヘッド径φ３である近接センサ５００を用いて検査する場合、以下のような問題が生じていた。
【００２１】
（１）そもそも近接センサ５００の計測精度はさほど良くないので、位相検出位置の誤差が大きかった。
（２）近接センサ５００は、小モジュールで歯数が多くなって歯の間隔が狭くなると、隣接した歯も検出してしまい、誤計測により正確な補正が困難になる。従来技術の最小のセンサヘッド径でモジュール０．５が限界であった。
【００２２】
（３）歯車６００のサイズ（モジュール・歯数）によりセンサヘッドを交換している。先の（２）の説明のように近接センサ５００は、歯車６００の歯の間隔や大きさにより複数の歯を検出する。そこで、歯車６００のモジュールが小さい場合、それに合せた更に小型の近接センサ５００に取り替えて歯面にきるだけ接近させる必要がある。つまり、歯車６００の歯形や歯のピッチなどが変化する場合は、近接センサ５００の取り替え作業や調整作業が必要となり手間を要するものであった。
【００２３】
（４）近接センサ５００は、センサにより検出距離が異なるものであり、センサヘッド径が小さくなるほど歯車６００へ接近させる必要があり、歯車外径との距離も合わせるセッティング時に調整作業が必要となりこの点でも手間を要するものであった。
【００２４】
（５）加工時は近接センサ５００を退避させる必要があるので伸縮アーム機構が必要となる。
（６）歯面の位相を検出する工程として、アームの伸縮工程が必ず必要となり加工時間に加算される。
【００２５】
そして、これらのような問題は引用文献１に記載のホブ盤や引用文献２に記載の歯車加工機械でも同様の問題を有するものであった。
【００２６】
以上説明したように再ホブ加工において、モジュールや歯数にて制約があった。特に、モジュールが小さくなると近接センサによる検出が難しくなり、高精度の歯車創成の点で問題があった。
【００２７】
そこで、本発明は上記した問題に鑑みてなされたものであり、その目的は、簡易な構成で歯車の歯面の正確な位相決めを行えるようにし、モジュールや歯数の小さい歯車であっても加工精度を向上させるような歯車加工機を提供することにある。
【課題を解決するための手段】
【００２８】
上記目的を達成するため、請求項１に係る発明は、ホブの切削により歯車を創成する歯車加工機において、
歯車の回転軸に対し線状レーザ光を略直角に歯車へ照射する投光部、および、歯車の歯面からの反射光を受光する受光部を有するレーザ変位センサと、
前記レーザ変位センサから歯車までの距離を一定に維持した状態で、前記投光部が照射するレーザ光軸と一致するセンサ回転軸により前記レーザ変位センサが回動するように支持し、予め判別している歯車の歯面の歯筋方向に対して前記レーザ変位センサが略直角となるように前記レーザ変位センサを回動する粗調を行い、前記レーザ変位センサを回動する微調整を行って歯車から反射する線状レーザ光の拡散反射光が前記受光部により最も多く受光されるように前記レーザ変位センサの位置を決定するセンサ回動部と、
前記投光部からの出射光による歯車からの反射光を前記受光部が受光して前記投光部から歯車までの距離を計測する手段と、この手段により計測された距離によるデータを利用して得た歯面データや位相データを用いてホブ加工を行う手段と、を備えたことを特徴とする。
【００２９】
また、請求項２に係る発明は、請求項１に記載の歯車加工機において、前記レーザ変位センサの前面に設けられて開放・閉鎖を行う蓋部を備えたことを特徴とする。
【発明の効果】
【００３０】
このような本発明によれば、簡易な構成で歯車の歯面の正確な位相決めを行えるようにし、モジュールや歯数の小さい歯車であっても加工精度を向上させるような歯車加工機を提供することができる。
【図面の簡単な説明】
【００３１】
【図１】本発明を実施するための歯車加工機の斜視外観図である。
【図２】歯車加工機の斜視拡大図である。
【図３】レーザセンサ部の説明図である。
【図４】歯車のレーザ計測およびレーザセンサ部の回転を説明する説明図であり、図４（ａ）は側面図、図４（ｂ）は背面図、図４（ｃ）は回転時のレーザセンサ部の背面図である。
【図５】レーザ計測の説明図であり、図５（ａ）は回転調整前のレーザ計測の説明図、図５（ｂ）は回転調整後のレーザ計測の説明図である。
【図６】再ホブ加工のフローチャートである。
【図７】近接センサによる歯車の歯面検査の説明図である。
【図８】近接センサによる歯車の歯面検査の説明図である。
【発明を実施するための形態】
【００３２】
続いて、本発明を実施するための形態について、図１〜図６を参照しつつ説明する。歯車加工機１００は、歯車を切削によって加工する横型のホブ盤であり、ワークである歯車２００の回転軸が水平方向、ホブの回転軸が縦方向となるように設けられる。本発明は、上記の（ｃ）のプレホブ加工後に焼き入れされた歯車２００を、ハードホビング・スカイビング用のホブを使って再ホブ加工で修正代を取り、正規な寸法に仕上げる「仕上げ加工」における歯合せ工程の改良を実現するものである。
【００３３】
歯車加工機１００は、ベッド１、ガイドレール２、移動ベース３、Ｚ軸モータ４、Ｘ軸モータ５、ホブ旋回モータ（Ａ軸）６、ホブシフトモータ（Ｙ軸）７、ホブ軸モータ（Ｂ軸）８、ヘッド９、ホブ１０、主軸モータ（Ｃ軸）１１、支持部１２、レーザセンサ部１３を備える。歯車加工機１００は、粗削り後に焼き入れされた歯車２００に対して再ホブによる仕上げ加工を行う。
【００３４】
ベッド１にはガイドレール２が配置されており、このガイドレール２上を移動ベース３がＺ方向に移動するように摺動自在に支持されている。この移動ベース３は、Ｚ軸モータ４によりＺ軸方向に位置決めされる。この移動ベース３には、Ｘ軸モータ５、ホブ旋回モータ（Ａ軸）６、ホブシフトモータ（Ｙ軸）７、ホブ軸モータ（Ｂ軸）８が取り付けられている。
【００３５】
ヘッド９には、例えば、超硬製のホブ１０が配置されている。ドライカットを実現するため、超硬製のホブを使用し、ホブ１０の摩耗を抑制している。このようなホブ１０はホブ軸モータ（Ｂ軸）８により駆動回転される。また、ホブ１０は、ホブシフトモータ（Ｙ軸）６、ホブ旋回モータ（Ａ軸）７、Ｘ軸モータ８により移動ベース３上で位置決めがなされる。
【００３６】
ワークである歯車２００は、主軸モータ（Ｃ軸）１１と支持部１２とにより水平に挟持されており、主軸モータ（Ｃ軸）１１により歯車２００が水平な回転軸回りで駆動回転される。歯車２００の回転、ホブ１０の回転及び切り込み送り等、歯車創成のために必要な制御は、図示しない制御部の指令に基づいて行われる。
【００３７】
続いて本発明の特徴をなすレーザセンサ部について図を参照しつつ説明する。図２に示すようにレーザセンサ部１３は、レーザ変位センサ１３１、センサ収納箱１３２、センサ回動部１３３を備える。センサ収納箱１３２の外側では図３で示すように蓋部１３４が設けられている。
【００３８】
レーザ変位センサ１３１は、図４（ａ）で示すようにさらに投光部１３１ａ、受光部１３１ｂを備える。投光部１３１ａから照射される線状レーザ光のレーザ光軸は投光部１３１ａから歯車２００の回転軸までを通過する軸と一致するようにしている。線状レーザ光は、図４（ｂ），（ｃ）で示すように歯筋方向に横長な線状を有する。
【００３９】
ここで線状レーザ光を用いる理由について説明する。一般的なレーザ変位センサはスポット径の小さな点状レーザ光を用いることが多いが、本発明のように荒削りした加工面ではレーザ光が乱反射する傾向があり、その場合には受光部にレーザ光が帰らず計測不能となる。これに対して線状レーザ光を適用することにより、レーザ光が当たった線状領域の平均値のデータを安定的に得ることができる。この点で線状レーザ光が優れているためである。
【００４０】
センサ収納箱１３２は、図２で示すように、下側の支持部１２のスライド装置に固定され、支持部１２および歯車２００とともに移動し、歯車２００とセンサ収納箱１３２とは一定距離を維持する。センサ収納箱１３２の外側であってワークである歯車２００と対向する面には図３でも示すように蓋部１３４が設けられている。センサ回動部１３３はセンサ収納箱１３２の内部で固定されており、このセンサ回動部１３３は、レーザ変位センサ１３１を回動させる。
【００４１】
蓋部１３４は図示しない蓋部回転駆動部により回転動作を行うようになされ、レーザセンサ部１３の前面を開閉するようになされている。再ホブ加工前であって歯車２００の歯面データや位相データを取得する際に蓋部１３４が回転してレーザ変位センサ１３１の前面が開放される。後述するが再ホブ加工時には蓋部１３４が閉じられて飛散する切削くずなどからレーザ変位センサ１３１を保護する。
【００４２】
続いてセンサ回動部１３３による角度調整について説明する。前提としてワークである歯車２００の回転軸に対し、上から視て略直角となるように配置されているものとする。このレーザ変位センサ１３１から歯車２００までの距離は一定距離が維持されている。レーザ変位センサ１３１は、図４（ａ）で示すように、出射光と同軸のセンサ回転軸により回動するようにセンサ回動部１３３により支持されている。回動すると、図４（ｂ），（ｃ）で示すように背面から視ると傾斜するようになる。この角度調整は、センサ回動部１３３を用いて歯車の歯筋方向に対しても略直角となるように配置する。例えば歯車が平歯車などの場合は、レーザ変位センサ１３１を傾斜させないときに略直角となり、図４（ｂ）で示すように、傾斜角度は垂直方向を基準として０°である。
【００４３】
しかしながら、例えば、歯車がヘリカル歯車のように歯筋方向が傾斜する場合、図５（ａ）で示すようにネジレ角度に合せないと線状レーザ光と歯面とが干渉して多重反射光が出やすく、誤計測が発生しやすくなる。また、反射光自身も受光部へ戻りにくくなるので計測できない事態が発生しやすい。
【００４４】
このような干渉をなくすため、センサ回動部１３３によりレーザ変位センサ１３１の傾斜角度を調整し、歯筋方向に投光軸及び受光軸を合せる。例えば、予め判別している歯車のネジレ角度に基づいて粗調を行い、その後に受光量が最大となるように角度の微調整を行う。センサ回動部１３３の回動は、図４（ａ）に示す出射光であるレーザ光軸と同じ回転軸となるように設定されており、回動により、図４（ｃ）で示すように、レーザ変位センサ１３１を傾斜させる。
【００４５】
レーザ変位センサ１３１は、レーザ光軸と一致する回転軸により回転され、歯筋方向に対して直角となるように、つまり投光部、反射部および受光部を結ぶ線状のレーザ光が反射部である歯面に直角に入射するようにして、レーザの拡散反射光を受光部１３１ｂで受光し易いように調整され、角度θの傾斜となるように回転される。図５（ｂ）で示すように歯車のネジレ角度に線状レーザ光を合せており、レーザ光の干渉が抑えられ、多重反射光が少なくなり、誤計測の発生が抑制される。また、反射光自身も受光部１３１ｂへ戻り易くなり、確実に計測される。センサ回動部１３３による角度調整はこのようなものである。
【００４６】
続いて再ホブ加工を開始する。再ホブ加工は、図６のフローチャートで示すような手順で行われる。プレホブ後に焼き入れがなされた歯車２００が作業員により取り付けられて蓋部１３４が開けられたレーザセンサ部１３でのセンサ回動部１３３による上記の角度調節を行ってワークセットを完了させた後（ステップＳ１１）、略水平な中心軸回りで支持された歯車２００に対し、レーザ変位センサ１３１は線状レーザ光を照射する（ステップＳ１２）。
【００４７】
具体的には図４（ａ）で示すように、投光部１３１ａからの出射光が、歯車２００の反射部にて反射し、この反射光を受光部１３１ｂが受光し、投光部１３１ａから歯車２００までの距離を計測する。投光部１３１ａから照射される線状レーザ光はそのレーザ光軸が歯車２００の回転軸を通過するようにしている。検出される距離は、投光部１３１ａから歯面までの距離によるデータであるが、回転軸から歯面までの距離である歯面データに変換しやすいように配慮されている。この距離が歯面に沿った値となり、１歯目と２歯目との歯面が検出され（ステップＳ１３）、１歯目と２歯目との角度差が算出され（ステップＳ１４）、歯面データや位相データが得られる。そして、データ取得後に線状レーザ光の発光が停止される（ステップＳ１５）。なお、発光の停止後にはすぐに蓋部１３４が閉じられる。
【００４８】
このようにレーザ計測により焼き入れ後の歯車２００の歯面の状態が判別する。そして、実際に製造したい歯車の仕様は予め分かっているので、計測により得られた歯車の歯面と、仕様による歯車の歯面と、による差を切削するように再ホブを行う。
【００４９】
具体的にはＣ軸同期角度との角度差が算出される（ステップＳ１６）。この角度差が許容角度範囲外である場合には不良ワークとして終了するが（ステップＳ１７でＮＯ）、許容角度範囲内ならば再ホブ加工へ移行する（ステップＳ１７でＹＥＳ）。
【００５０】
再ホブ加工を行う場合、Ｃ軸同期角度が補正され（ステップＳ１８）、同期を取った上で歯車２００に対して再ホブ加工が行われる（ステップＳ１９）。なお、再ホブによる加工時では、蓋部１３４がレーザセンサ部１３の前面を覆うことによりレーザセンサ部１３への切粉等の侵入を防止する。これによりレーザ変位センサ１３１を長期間にわたり高精度で使用できるようにしている。
【００５１】
再加工では、同期角度により送り軸（Ｚ軸）の切削開始位置を決定し、また、同期角度により切込軸（Ｘ軸）の切削開始位置を決定する。そして主軸（ホブ軸）を回転させつつ送り軸（Ｚ軸）の送りを開始し、切削開始位置から切削を開始する。切削加工時も先の歯面データや位相データにより同期が取られており、歯車２００に対して修正のみの加工を行うように制御される。送り軸（Ｚ軸）が加工終了点に到達すると、切込軸（Ｘ軸）を原点に復帰し、次いで、主軸（ホブ軸）を停止する。この際、切削加工中はホブ１０へは切削剤が供給されず、ドライカットで歯形が修正される。再ホブ加工はこのようにしてなされる。
【００５２】
以上、本発明の歯車加工機１００について説明した。
なお、レーザセンサ部においては、図示していないが、上記の条件を保持しながらセンサ箱全体をワーク軸（Ｚ軸）に対して平行に移動するように構成すれば、歯車２００のＺ軸方向で異なる複数位置の歯面データおよび位相データを取得することができ、さらに正確な再ホブを行うことができるようになる。このような構成としても良い。
【００５３】
また、このような本発明の歯車加工機は横型に限定されるものではなく、縦型の歯車加工機に適用しても良い。ワークである歯車２００の回転軸が縦方向、ホブの回転軸が水平方向である歯車加工機に、例えば、上記のレーザ変位計を９０°傾斜させた横置きに配置すれば、縦型の歯車加工機に適用できる。また、その他種々の構成を選択することもできる。
【００５４】
以上、説明した歯車加工機によれば、センサ部として近接センサよりも検出範囲が広いレーザ変位センサを採用するため、近接センサでは検出困難であったモジュール０．５以下の歯車の検出ができるようになり、モジュールや歯数に制限されず、センサヘッドの交換をせずとも検出可能となった。
また、レーザ変位センサは近接センサよりも検出範囲が広いため、レーザ変位センサを歯車へ近づける必要がなくなり、加工作業の短縮に繋がった。
【００５５】
また、レーザセンサ部の設置位置を加工動作範囲外にした為、検出サイクルと加工サイクルの分離が出来るようになり、サイクルタイムの短縮に繋がった。
また、レーザセンサ部はセンサ回動部を有しており、歯の傾き角度に合せてレーザ変位計を回動させて正確な位相検出ができるようになり、ヘリカル歯車の検出も対応することができる。
【００５６】
また、レーザセンサ部は蓋部を有しており、検出後の加工において、切削粉から、センサを保護することができる。
【産業上の利用可能性】
【００５７】
以上のような本発明の歯車加工機は、従来の近接センサが有していた問題を解決し、ヘリカル歯車等の特殊な歯車も安価に精度良く創成できようになり、産業上利用価値を高めている。
【符号の説明】
【００５８】
１００：歯車加工機
１：ベッド
２：ガイドレール
３：移動ベース
４：Ｚ軸モータ
５：Ｘ軸モータ
６：ホブ旋回モータ（Ａ軸）
７：ホブシフトモータ（Ｙ軸）
８：ホブ軸モータ（Ｂ軸）
９：ヘッド
１０：ホブ
１１：主軸モータ（Ｃ軸）
１２：支持部
１３：レーザセンサ部
１３１：レーザ変位センサ
１３１ａ：投光部
１３１ｂ：受光部
１３２：センサ収納箱
１３３：センサ回動部
１３４：蓋部
２００：歯車
【図１】
0006029163.tif 000002
【図２】
0006029163.tif 000003
【図３】
0006029163.tif 000004
【図４】
0006029163.tif 000005
【図５】
0006029163.tif 000006
【図６】
0006029163.tif 000007
【図７】
0006029163.tif 000008
【図８】
0006029163.tif 000009